(57)【特許請求の範囲】
【請求項１】
バンド部を備えた長尺体の裏面側に自己接着性を有する接着剤層を備えると共に、その表面側に情報表示部を有する情報表示バンドであって、前記バンド部の長手方向の少なくとも一側縁に外方に延出すると共にその裏面側に自己接着性を有する接着剤層を備える折り返し片を有することを特徴とする情報表示バンド。
【請求項２】
前記折り返し片は、前記バンド部の長手方向両側縁に左右対称に設けたものであることを特徴とする請求項１記載の情報表示バンド。
【請求項３】
前記折り返し片の近傍に、前記バンド部を挿入可能なスリットを備えたスリット設置部を設けたことを特徴とする請求項１または２記載の情報表示バンド。
【請求項４】
前記スリットは半円状でかつ前記バンド部の挿入方向の反対方向に半円状のスリットの頂点がくるように設けられ、前記バンド部の長手方向両側縁には前記スリットに引っ掛かる１対の対称形状の切り欠き部を設けたことを特徴とする請求項３記載の情報表示バンド。
【請求項５】
前記接着剤層の接着剤がポリウレタン系接着剤及びポリエステル系接着剤から選ばれる少なくとも１種の接着剤からなり、ＪＩＳ  Ｚ０２３７によるボールタック値が３以下で、かつ、接着剤層面同士の接着力が２Ｎ／ｃｍ以上であることを特徴とする請求項１乃至４の何れかに記載の情報表示バンド。
【請求項６】
前記接着剤層のＪＩＳ  Ｋ６２５３によるデュロメータ硬さが２０〜１００であることを特徴とする請求項５記載の情報表示バンド。
【請求項７】
前記情報表示バンドがリストバンドであることを特徴とする請求項１乃至６の何れかに記載の情報表示バンド。
【発明の詳細な説明】
【０００１】
【発明の属する技術分野】
本発明は例えば病院での患者の識別や、集団検診の際に個人の確認のために用いられるリストバントや航空手荷物の所有者を確認するために用いられるタッグ等の情報表示バンドに関する。
【０００２】
【従来の技術】
従来、例えば、病院での患者の識別や、集団検診の際に個人の確認のために用いられるリストバンド等の情報表示バンドとしては、情報表示部を備えたバンド本体の両端部にそれぞれ専用のプラスチック製留め具を設けるようにしたものや、情報表示部を備えたバンド本体の裏面側に粘着剤層を設けるようにしたものが知られている。
【０００３】
【発明が解決しようとする課題】
前記専用のプラスチック製留め具を備えたものは、高価で、しかも留め具の装着操作が煩雑であった。また、バンド本体の裏面側に粘着剤層を設けるようにしたものは、直接皮膚等に貼付されるため、貼着部がべた付き、看者等の被着者乃至被着体にとって好ましいものではなかった。
そこで、本発明は上記従来技術の状況に鑑みてなされたものであり、安価で、装着操作が簡単で、しかも、粘着剤のべた付き感がない、個人の確認のためのリストバンド等の情報表示バンドを提供することを目的とする。
【０００４】
【課題を解決するための手段】
本発明の情報表示バンドは、前記目的を達成するべく、請求項１記載の通り、バンド部を備えた長尺体の裏面側に自己接着性を有する接着剤層を備えると共に、その表面側に情報表示部を有する情報表示バンドであって、前記バンド部の長手方向の少なくとも一側縁に外方に延出すると共にその裏面側に自己接着性を有する接着剤層を備える折り返し片を有することを特徴とする。
また、請求項２記載の情報表示バンドは、請求項１記載の情報表示バンドにおいて、前記折り返し片は、前記バンド部の長手方向両側縁に左右対称に設けたものであることを特徴とする。
また、請求項３記載の情報表示バンドは、請求項１または２記載の情報表示バンドにおいて、前記折り返し片の近傍に、前記バンド部を挿入可能なスリットを備えたスリット設置部を設けたことを特徴とする。
また、請求項４記載の情報表示バンドは、請求項３記載の情報表示バンドにおいて、前記スリットは半円状でかつ前記バンド部の挿入方向の反対方向に半円状スリットの頂点がくるように設けられ、前記バンド部の長手方向両側縁には前記スリットに引っ掛かる１対の対称形状の切り欠き部を設けたことを特徴とする。
また、請求項５記載の情報表示バンドは、請求項１乃至４の何れかに記載の情報表示バンドにおいて、前記接着剤層の接着剤がポリウレタン系接着剤及びポリエステル系接着剤から選ばれる少なくとも１種の接着剤からなり、ＪＩＳ  Ｚ０２３７によるボールタック値が３以下で、かつ、接着剤層面同士の接着力が２Ｎ／ｃｍ以上であることを特徴とする。
また、請求項６記載の情報表示バンドは、請求項５記載の情報表示バンドにおいて、前記接着剤層のＪＩＳ  Ｋ６２５３によるデュロメータ硬さが２０〜１００であることを特徴とする。
また、請求項７記載の情報表示バンドは、請求項１乃至６の何れかに記載の情報表示バンドにおいて、前記情報表示バンドがリストバンドであることを特徴とする。
【０００５】
【発明の実施の形態】
本発明の情報表示バンドは、図１のリストバンドとして構成した一実施例のごとく、バンド部３を備えた長尺体２の裏面側に自己接着性を有する接着剤層２ａを備えると共に、その表面側に情報表示部４を有する情報表示バンド１であって、前記バンド部３の長手方向の少なくとも一側縁に自己接着性を有する接着剤層７ａを有する折り返し片７を有している。図１において、前記折り返し片７を設置した部分のバンド部５をバンド部３と区別して示している。また、折り返し片７を折り易くするため、図示のように、バンド部５と折り返し片７の境にミシン目６を設けることが好ましい。
【０００６】
前記バンド部３を備える長尺体２を構成する基材としては、例えば、各種紙材や金属箔、或いは、ポリエチレン樹脂、ポリプロピレン樹脂などのポリオレフィン樹脂、ポリブチレンテレフタレート樹脂、ポリエチレンテレフタレート樹脂などのポリエステル樹脂、アセテート樹脂、ポリスチレン樹脂、塩化ビニル樹脂などのプラスチックのフィルムやシートなどが挙げられる。
また、柔軟性に優れた発泡ポリウレタン樹脂、発泡ポリエステル樹脂、発泡ポリエチレン樹脂、発泡ポリプロピレン、発泡ポリエチレン・エチレン酢酸ビニル共重合体等の発泡プラスチックのフィルムやシートなども挙げられる。
これらの内、ポリエステル樹脂フィルムや、シートが好ましく、特にポリエチレンテレフタレート樹脂や、その発泡樹脂フィルムや、シートが好ましい。この基材は、１層のみで構成されてもよいし、２層以上の多層構造でもよい。また、基材は、未延伸でもよいし、縦または横などの一軸方向または二軸方向に延伸されていてもよい。
前記長尺体２の厚みは、特に制限ないが、通常３０〜３００μｍであり、好ましくは５０〜２００μｍである。また、長尺体２の長さも、特に制限はないが、通常１００ｍｍ〜４００ｍｍ程度である。
長尺体２は、例えば、医療科目ごとに分別するため着色されていてもよいし、透明のものでもよい。
【０００７】
本発明の情報表示バンドの自己接着性を有する接着剤は、特に制限はないが、被着体へのタックが極めて低いか無く、接着剤層同士を貼着したときに強く接着するものであればよい。自己接着性を有する接着剤としてはポリウレタン系接着剤及びポリエステル系接着剤が好ましい。ポリウレタン系接着剤は、接着剤層面同士を貼付した直後に、接着力が強くなり、そのままその接着力が継続するという特徴があり、また、ポリエステル系接着剤層は、接着剤層面同士を貼付した直後は剥がし易く、除々に接着力が強くなるという特徴がある。これらの接着剤は、ＪＩＳ  Ｚ０２３７によるボールタック値が３以下で、かつ、接着剤層面同士の接着力が２Ｎ／ｃｍ以上であることが好ましい。本発明では前記ポリウレタン系接着剤及びポリエステル系接着剤から選ばれる少なくとも１種の接着剤層を長尺体及び折り返し片の裏面に設け、更に、長尺体及び折り返し片の裏面と接着剤層の間には、接着増強層を設けてもよい。
【０００８】
前記接着剤層は、タックが極めて低いという特徴があり、ボールタック値が３以下であり、好ましくは２以下である。ボールタック値が３を超えると、手首等に接触した際に糊残りを発生させる。
接着剤層は、接着剤層面同士の接着力が２Ｎ／ｃｍ以上であり、３Ｎ／ｃｍ以上であることが好ましい。ここで云う接着力は圧着２４時間後の接着力である。
【０００９】
更に、接着剤層は、接着剤層のＪＩＳ  Ｋ６２５３によるデュロメータ硬さが２０〜１００であることが好ましく、３０〜１００であることがより好ましく、４０〜８０であることが特に好ましい。デュロメータ硬さが２０未満であると、手首等の被着体に接した際に糊残りが生じるおそれがある。一方、１００を超えると十分な接着力が得られないことがある。
接着剤層の厚みは、特に制限ないが、通常５〜４０μｍであり、好ましくは１０〜２５μｍである。
なお、本発明の接着剤層は、表面に印刷や印字を施してもよい。
【００１０】
前記接着剤層の表面は、剥離シートで覆うことができる。剥離シートは、少なくとも片面が剥離性を有する支持基材からなり、支持基材の剥離性面は、剥離剤を塗工したものであってもよいし、塗工しないものでもよい。支持基材としては、例えば紙、合成紙、プラスチックフィルムなどが挙げられる。紙としては、例えばグラシン紙、ポリエチレンラミネート紙などが挙げられ、プラスチックフィルムとしては、例えばポリエチレン樹脂、ポリプロピレン樹脂などのポリオレフィン樹脂、ポリブチレンテレフタレート樹脂、ポリエチレンテレフタレート樹脂などのポリエステル樹脂、アセテート樹脂、ポリスチレン樹脂、塩化ビニル樹脂などのプラスチックのフィルムなどが挙げられる。また、剥離剤を塗工しない剥離シートの適当な具体例としては、ポリプロピレンフィルム、ポリエチレンフィルムなどのポリオレフィンフィルム、これらのポリオレフィンフィルムを紙や他のフィルムにラミネートしたフィルム、フッ素系樹脂フィルム等が挙げられる。
剥離シートに用いられる剥離処理剤としては、シリコーン樹脂、アルキッド樹脂、フッ素樹脂、長鎖アルキル含有樹脂などが挙げられる。
剥離シートの厚みは、特に制限されず、適宜選定すればよい。
【００１１】
本発明の情報表示バンドにおいて、前記長尺体２のバンド部３の幅は、特に制限はないが、後記するスリット設置部８を除けば、通常１０ｍｍ〜２０ｍｍである。また、バンド部３の長さも、特に制限はなく、被着者の手首（等）に合わせて適宜選択できるが、通常５０ｍｍ〜２００ｍｍである。
【００１２】
また、前記長尺体２の表面に設けられる情報表示部４は、患者等の被着者の情報を印刷、印字するために設けるものであって、認識性を高めるためにバンド部３に比べて広幅になっていることが好ましい。その幅は特に限定はないが、通常２０ｍｍ〜３０ｍｍであり、長さは必要とする情報を印刷、印字できれば特に制限はないが、通常５０〜１００ｍｍである。
この情報表示部４には、感熱記録層や、熱転写、インクジェット、レーザー印字などが可能な印字受像層、印刷性向上層等を設けることが好ましい。
なお、前記感熱記録層等は情報表示部４のみに設けてもよいがバンド部３，５を含め長尺体２全面に設けてよいことは云うまでもない。
【００１３】
情報表示バンド１の折り返し片７は、その部分を折り返すことにより、長尺体２の接着剤層２ａと折り返し片７の接着剤層７ａの各面同士を貼着し、これら接着剤層２ａ，７ａが有する接着力により情報表示バンド１のバンド部３を固定できる。また、この折り返し片７が設置されているバンド部５にバンド部３と略同じ幅にミシン目６を設けることにより、折り返し片７が更に折り返し易くなり好ましい。
この折り返し片７は、折り返し片７が設置されるバンド部５の長手方向の少なくとも一側縁にのみ設けてもよいが、バンド部５の長手方向両側縁に左右対称に設ける方が、バンド部３をしっかりと固定できるので好ましい。
また、折り返し片７は一箇所だけに設けてもよいが、複数箇所に設けることによりバンド部３をしっかり固定できる。
なお、この折り返し片７は、別途設けた折り返し片を長尺体に貼着して形成するようにしてもよいが、通常長尺体２と一体に形成すればよく、その長さは特に制限はないが、通常１０〜３０ｍｍ程度に形成し、延出させる長さは長尺体２のバンド部３の全幅に亘り貼着できる程度の長さとするのが好ましい。
【００１４】
本発明の情報表示バンド１を装着するには、例えば、その装着方法を模式的に示した図２，図３に示すように、手首３０に一周させ、長尺体２の一端側のバンド部３と、折り返し片７を設けた他端側のバンド部５とを、各裏面の接着剤２ａを利用して互いに貼り合わせるようにして接着させた後、情報表示部４が見えるように前記接着させた部分を手首３０に沿って折り曲げ、更に、前記折り返し片７を長尺体２の裏面側に折り曲げて、この折り返し片７の裏面側の接着剤層７ａを長尺体２のバンド部３の裏面側の接着剤層２ａに貼着することにより、前記端部で接着させた部分を長尺体２に固定すればよい。
【００１５】
図４は本発明の他実施例を示す斜視図である。
折り返し片７ａが設置されたバンド部５の近傍には、他端側のバンド部３を挿入可能なスリット９を備えたスリット設置部８を設けることにより、バンド部３を含む長尺体２を手首にまわした後、このバンド部３をスリット９を介して長尺体２の外側から裏面側（接着剤を設けた側）へ所望の長さだけ挿入し、その位置で折り返し片７を折り返すだけでバンド部３を所定長さに調節した状態で固定でき、装着が正確かつ容易となり好ましい。前記スリット９の幅はバンド部３と略同一幅であるため、スリット設置部８はバンド部３より広い幅にすることが必要となる。
また、このスリット設置部８の長さは、特に制限はないが、通常１５〜３０ｍｍである。
【００１６】
前記スリット９は直線状でもよいが、図４に示すように、半円状でかつバンド部３の挿入方向の反対方向に半円状のスリットの頂点がくるようにして、かつ、バンド部３の長手方向両側縁に前記スリット８に引っ掛かる１対の対称形状の切り欠き部１０を設けることにより、一度バンド部３を挿入するとその切り欠き部１０がスリット９にひっかかり戻りにくくなるため、更に好ましい。前記切り欠き部１０の形状は、バンド部３の挿入方向に略直角三角形の直角部分がくるように切り欠いた形状のもので、両側縁に少なくとも１対設けることが好ましく、連続してのこぎり刃のように設けることで長さを自由に設定でき、更に好ましい。
また、前記切り欠いた略直角三角形の斜辺は直線状だけでなく弧状にしてもよい。
【００１７】
本発明情報表示バンドの製造方法は、特に限定なく公知の方法で製造できるが、例えば、先ず、長尺体を構成するテープ状の基材の裏面に接着剤を塗布乾燥後、剥離シートでその接着剤層を被覆して接着テープを作製する。次に、この接着テープを所望の情報表示バンドの形状に連続的に打ち抜くと同時に折り返し片のためのミシン目を入れて、本発明の情報表示バンドを製造することができる。
また、接着テープを情報表示バンドの形状に打ち抜く代わりに、長尺体側より長尺体と接着剤層までをカットして剥離シートはカットしない、いわゆるハーフカットを行い、本発明の情報表示バンドを製造することができる。この場合、連続した情報表示バンドがシート状に得られるため、プリンターによる印刷がより容易となる。
【００１８】
本発明の情報表示バンドは手首等に装着するのに好適なものであるが、手首に限らず新生児の足首や医療用チューブ、或いは、航空機の手荷物に付けるタグとして利用できることは云うまでもない。
【００１９】
【実施例】
次に、本発明の情報表示バンドの実施例をリストバンドとして構成した例を図面に基づき説明する。なお、本発明の情報表示バンドは、これら実施例によって何ら制限されるものではない。
実施例で得られた情報表示バンドの接着力測定試験、ボールタック測定試験、デュロメータ硬さの測定試験は、情報表示バンドに打ち抜く前の接着テープを用い、下記の方法に従って行った。
（１）圧着２４時間後の接着力測定試験：ＪＩＳ  Ｚ０２３７．８．３．２に準じ、接着テープの接着剤層面同士を圧着させ、圧着後２４時間後に接着剤層面を剥離速度３００ｍｍ／ｍｉｎで剥離（Ｔ型剥離）し、測定した。
（２）ボールタック測定試験：ボールタックは、ＪＩＳ  Ｚ０２３７．１２に従って測定した。傾斜板の傾斜角は３０度とし、測定温度は２３℃であり、単位は１／３２インチである。
（３）デュロメータ硬さの測定試験：接着剤層のデュロメータ硬さは、ＪＩＳ  Ｋ６２５３に従いデュロメータ硬さが１０〜９０の範囲の場合はタイプＡの試験機を使用し、９０を超える場合は、タイプＤの試験機を使用して測定した。
【００２０】
（実施例１）
印刷可能な発泡ポリエステルフィルム（東洋紡（株）製、クリスパー、厚み１４０μｍ、幅３００ｍｍ）からなるテープ状の基材の裏面に、フタル酸系ポリエステル樹脂（大日本精化工業（株）製、セイカボンドＥ−２９５、不揮発分６０重量％）１００重量部に対し、ポリイソシアネート系架橋剤（大日本精化工業（株）製、セイカボンドＣ−７５Ｎ、不揮発分７５重量％）５重量部を混合したポリエステル系接着剤液を、乾燥後の接着剤層の厚みが２０μｍになるように塗布乾燥した。次に、厚さ３８μｍのポリエチレンテレフタレートフィルムからなる剥離シートでその接着剤層を被覆して、幅３００ｍｍ、厚さ１９８μｍの接着テープを作製した。
【００２１】
ポリエステル系接着剤層の接着剤層面同士の圧着２４時間後の接着力は６．７Ｎ／ｃｍであった。また、接着剤層のボールタック値は２であった。更に、接着剤層のデュロメータ硬さは４０であった。
【００２２】
次に、得られた接着テープを打ち抜いて、図１に示すような長尺体２からなるリストバンド（情報表示バンド）１を得た。即ち、このリストバンド１は、その一端側から、幅１２ｍｍ、長さ１４０ｍｍのバンド部３と、幅２４ｍｍ、長さ１１３ｍｍの情報表示部４と、幅１２ｍｍ、長さ２０ｍｍのバンド部５と、このバンド部５の長手方向両側縁に長さ２０ｍｍに亘って設けたミシン目６を介して外方に６ｍｍ延出させた長さ２０ｍｍの折り返し片７から構成されている。
【００２３】
このリストバンド１に感熱プリンターで個人名や医療情報をバーコードで情報表示部４に印刷した後、図２に示すように手首３０に巻き、バンド部３と折り返し片７を設けたバンド部５、更に、図示のように、バンド部３と情報表示部４の各接着剤層２ａの面を、リストバンドが略手首３０の太さとなるように調整して貼り合わせて接着させた。次に、図３に示すようにその接着させた部分を情報表示部４が見えるようにバンド部３へ折り曲げた後、折り返し片７をミシン目６を介して裏面側に折り返し、折り返し片７の接着剤層７ａの面とバンド部３の接着剤層２ａの面を接着させて貼り合わせ部を固定させた。
情報表示部４の確認は容易であり、リストバンド１が手首３０から外れることもなく、また、手首３０に対するタックによるベトつきなどの違和感もなかった。
【００２４】
（実施例２）
実施例１と同じテープ状の基材の裏面に、ポリウレタン樹脂（大日本精化工業（株）製、レザミンＵＤ８３００ＬＰ、不揮発分５０重量％）１００重量部に対し、ポリイソシアネート系架橋剤（大日本精化工業（株）製、レザミンＮＥ、不揮発分７５重量％）３０重量部と、アミン・スズ系促進剤（大日本精化工業（株）製、レザミンＨＩ２１５促進剤、不揮発分５重量％）０．５重量部を混合したポリウレタン系接着剤液を、乾燥後の接着剤層の厚みが１２μｍになるように塗布乾燥した。次に、厚さ４０μｍの２軸延伸ポリプロピレンフィルムからなる剥離シートでその接着剤層を被覆して、幅３００ｍｍ、厚さ１９２μｍの接着テープを作製した。
【００２５】
ポリウレタン系接着剤層の接着剤層面同士の圧着２４時間後の接着力は８．２Ｎ／ｃｍであった。また、接着剤層のボールタック値は、２であった。更に、接着剤層のデュロメータ硬さは７８であった。
【００２６】
次に、得られた接着テープを打ち抜いて、図４に示すような長尺体２からなるリストバンド（情報表示バンド）１を得た。即ち、このリストバンド１は、その一端側から、幅１２ｍｍ、長さ１４０ｍｍのバンド部３と、幅２４ｍｍ、長さ１１３ｍｍの情報表示部４と、幅１２ｍｍ、長さ２０ｍｍのバンド部５と、このバンド部５の長手方向両側縁に長さ２０ｍｍに亘って設けたミシン目６を介して外方に６ｍｍ延出させた長さ２０ｍｍの折り返し片７と、幅２０ｍｍ、長さ２０ｍｍのスリット設置部８とからなり、前記スリット設置部には、直径１２ｍｍの半円状のスリット９が設けられている。前記半円状のスリットの頂点は、図４に示すように、バンド部３の挿入方向の反対方向となるよう、長尺体２のスリット設置部８を設けた側の端部方向にくるようにした。
また、バンド部３には、幅方向に３ｍｍ、長さ方向に４ｍｍ、斜辺５ｍｍの直角三角形状の切り欠き部１０を長手方向両側縁に沿って連続して６カ所設けている。
【００２７】
このリストバンド１を実施例１と同様に印刷した後、手首３０に巻き、スリット９からバンド部３を長尺体２の外側から内側（接着剤を設けた側）に挿入して手首３０にフィットする寸法に合わせた。
このバンド部３を引き抜こうとすると切り欠き部１０が半円状の部分に引っ掛かって引き抜けなかった。更に、折り返し片７をミシン目６を介して裏面側に折り返し、折り返し片７の接着剤層７ａの面とバンド部３の接着剤層２ａの面を接着させ、リストバンド１を固定した。
情報表示部４の確認は容易であり、リストバンド１が外れることもなく、また、手首３０に対するタックによるベトつきなどの違和感もなかった。
【００２８】
【発明の効果】
このように、本発明によれば、安価で、装着操作が簡単で、しかも、粘着剤のべた付き感がない、個人の確認のためのリストバンド等の情報表示バンドが得られる。
前記折り返し片を、前記バンド部の長手方向両側縁に左右対称に設けた場合、情報表示バンドの固定が確実となる。
また、前記折り返し片の近傍に前記バンド部を挿入可能なスリットを設けた場合、バンド部の調整が簡単となる。特に、前記スリットを半円状とし、前記バンド部の挿入方向の反対方向に半円状のスリットの頂点がくるようにして、前記バンド部の長手方向両側縁に前記スリットに引っ掛かる１対の対称形状の切り欠き部を設けた場合、バンド部の長さを正確、かつ、簡単に調整でき、正確な装着が容易となる。
また、長尺体と折り返し片の接着剤層の接着剤はポリウレタン系接着剤及びポリエステル系接着剤から選ばれる少なくとも１種の接着剤からなり、ＪＩＳ  Ｚ０２３７によるボールタック値が３以下で、かつ、接着剤層面同士の接着力が２Ｎ／ｃｍ以上であるものとすることにより、また、特に、この接着剤層のＪＩＳＫ６２５３によるデュロメータ硬さを２０以上とすることにより、被着体に対してべた付くことなく、充分な接着力が得られ、装着感に優れ、不用意に外れたりすることのない情報表示バンドが得られる。
【図面の簡単な説明】
【図１】  本発明情報表示体（リストバンド）の一実施例の斜視図
【図２】  同装着方法を説明するための斜視図
【図３】  同装着方法を説明するための斜視図
【図４】  本発明情報表示体（リストバンド）の他実施例の斜視図
【符号の説明】
１  リストバンド（情報表示バンド）
２  長尺体
２ａ接着剤層
３  バンド部
４  情報表示部
５  バンド部
６  ミシン目
７  折り返し片
７ａ接着剤層
８  スリット設置部
９  スリット
１０  切り欠き部
３０  手首
【図１】
0004662660.tif 000002
【図２】
0004662660.tif 000003
【図３】
0004662660.tif 000004
【図４】
0004662660.tif 000005